(57)【特許請求の範囲】
【請求項１】
建築物の壁面、窓又は柵等に設置する格子状外装材において、
建築物の壁面、窓又は柵等に取付ける横桟部材と、
該横桟部材の外側面長手方向に沿って取付け、外側に所定間隔で係合部が形成された角波型薄板状のアタッチメント部材と、
該アタッチメント部材の係合部に前記横桟部材に交差するように取付ける縦桟部材とからなることを特徴とする格子状外装材。
【請求項２】
前記横桟部材は、建築物の壁面、窓又は柵等に取付ける横桟ベース材と、前記アタッチメント部を取付ける横桟トップ材とからなり、
前記横桟ベース材は、断面視略コ字型で開口奥側に第一係止部が形成され、
前記横桟トップ材は、断面視略ト字型で横部先端に第二係止部が形成され、
前記横桟ベース材の開口方向に前記横桟トップ材の第二係止部を嵌め込んで前記第一係止部に係止することにより横桟部材を形成することを特徴とする請求項１に記載の格子状外装材。
【請求項３】
前記横桟部材を建築物の壁面、窓又は柵等に取付金具を介して取付けることを特徴とする請求項１又は２のいずれかに記載の格子状外装材。
【発明の詳細な説明】
【技術分野】
【０００１】
本発明は、建築物の壁面、窓又は柵等に設置する格子状外装材に関する。
【背景技術】
【０００２】
一般住宅、集合住宅や商業ビル等の建築物において、壁面、窓又は柵等を装飾又は保護等する目的で格子状外装材が取り付けられることがある。このような格子状外装材として、以下のものが開示されている。
【０００３】
例えば、格子状を形成する木製横桟の表面に縦方向の凹条溝及び凸条部を交互に形成し、該凹条溝に合成樹脂製縦格子桟を嵌着整列して釘体を裏面側となる木製横桟側より打付固定する組立面格子が開示されている。該組立面格子によれば、該木製横桟に形成された凹条溝に合成樹脂製縦格子桟を嵌着することにより、所要寸法の面格子を現場で組立構成することができる（特許文献１）。
【先行技術文献】
【特許文献】
【０００４】
【特許文献１】実開昭５９−５７６９９号公報
【発明の概要】
【発明が解決しようとする課題】
【０００５】
しかしながら、特許文献１に記載の組立面格子では、木製横桟に形成された凹条溝の間隔幅に合成樹脂製縦格子桟の間隔が限られてしまい、且つ、横桟の意匠も木製の木目模様に限られてしまうため、該組立面格子を装飾目的上変更するためには、合成樹脂製縦格子桟のみならず木製横桟まで含む該組立面格子の略全部材を取り替えなければならず、該組立面格子の意匠を容易に変更することができないという問題があった。
【０００６】
また、該組立面格子では、木製横桟を壁面に取付ける際、建築物壁面に取付けた吊掛金具を介して嵌合掛吊するため、該吊掛金具が外観上の美観を損なうという問題があり、仮に、該木製横桟を壁面に直接取り付けた場合には、該木製横桟を壁面から容易に取り外すことができず、該組立面格子の意匠の変更がさらに困難になるという問題があった。
【０００７】
そこで、本発明は、意匠の変更、及び、壁面への着脱も容易な格子状外装材を提供することを課題とした。
【課題を解決するための手段】
【０００８】
上記課題を解決するために、本発明は次のように構成した。すなわち、本発明に係る請求項１に記載の格子状外装材は、建築物の壁面、窓又は柵等に設置する格子状外装材において、建築物の壁面、窓又は柵等に取付ける横桟部材と、該横桟部材の外側面長手方向に沿って取付け、外側に所定間隔で係合部が形成された角波型薄板状のアタッチメント部材と、該アタッチメント部材の係合部に前記横桟部材に交差するように取付ける縦桟部材とからなることを特徴としている。
【００１０】
また、請求項２に記載の格子状外装材は、請求項１に記載の構成において、前記横桟部材は、建築物の壁面、窓又は柵等に取付ける横桟ベース材と、前記アタッチメント部を取付ける横桟トップ材とからなり、前記横桟ベース材が断面視略コ字型で開口奥側に第一係止部が形成され、前記横桟トップ材が断面視略ト字型で横部先端に第二係止部が形成され、前記横桟ベース材の開口方向に前記横桟トップ材の第二係止部を嵌め込んで前記第一係止部に係止することにより横桟部材を形成することを特徴としている。
【００１１】
請求項３に記載の格子状外装材は、請求項１又は２のいずれかに記載の構成において、前記横桟部材を建築物の壁面、窓又は柵等に取付金具を介して取付けることを特徴としている。
【発明の効果】
【００１２】
本発明に係る請求項１に記載の格子状外装材によれば、該格子状外装材の取付け後に横桟部材を取り外すことなく、前記アタッチメント部材を係合部の横幅或いは間隔幅又は表面意匠の異なるものに取り替えることにより、該格子状外装材の意匠を容易に変更することができる。また、該横桟部材の外側面の外観にかかわらず、縦桟部材の横幅或いは設置幅又は表面意匠等に合わせて、該縦桟部材に合致する形状で同一の表面意匠又は異なる表面意匠の前記アタッチメント部材を組み合わせることにより、該格子状外装材全体をデザインすることができる。
さらに、前記アタッチメント部材を角波型薄板状に形成したことにより、製造効率に優れ、また、前記縦桟部材を容易に取付けることができる。
【００１４】
また、請求項２に記載の格子状外装材によれば、前記横桟部材を壁面等に直接取付けた場合であっても、前記横桟トップ材の横桟ベース材への係止を解除することにより、アタッチメント部材及び縦桟部材を壁面等から容易に取り外して前記の通り該格子状外装材の意匠を変更することができる。また、意匠を変更した後、該アタッチメント部材３及び縦桟格子４を取付けた横桟トップ材を壁面等に取付けられている横桟ベース材に係止すれば、壁面等に容易に該格子状外装材を取付けることができる。
【００１５】
さらに、請求項３に記載の格子状外装材によれば、壁面等に取付金具を介して横桟部材を取付けたことにより、空間デザインを目的として壁面等と横桟部材との間にわずかな空間を設ける際や、壁面等に段差が形成されている場合であっても、該取付金具をスペーサーとして該格子状外装材を壁面等に取付けることができる。
【図面の簡単な説明】
【００１６】
【図１】本発明に係る格子状外装材を示す斜視図である。
【図２】該格子状外装材に係るアタッチメント部材を示す斜視図である。
【図３】該格子状外装材に係る横桟部材の構造を示す断面図である。
【図４】該格子状外装材の設置状況を示す斜視図である。
【図５】該格子状外装材に係る取付金具を示す斜視図である。
【図６】壁面側取付金具の取付状態を示す斜視図である。
【図７】側面側取付金具の取付状態を示す斜視図である。
【発明を実施するための形態】
【００１７】
以下、図面に基づいて本発明を具体的に説明する。まず、図１は、本発明に係る格子状外装材１の構成を示す斜視図である。該格子状外装材１は、建築物の壁面Ｘ、窓又は柵等（以下、壁面Ｘ等。）に取付ける横桟部材２と、図２にも示す該横桟部材２の外側面に沿って取付ける角波型薄板状のアタッチメント部材３と、該アタッチメント部材３の凹部状に形成された係合部３１に嵌め込んで前記横桟部材２と交差するように取付ける縦桟部材４とから構成されている。なお、本実施例において、該横桟部材２及び縦桟部材４は、アルミを押出成形し、アルマイト処理して形成されているが、該素材はこれに限られるものではない。また、図中、該横桟部材２が、上下一対に取付けられているが、該格子状外装材１の意匠上、一又は三以上の横桟部材２を取付けてもよい。
【００１８】
前記アタッチメント部材３は、係合部３１としての凹部と凸部とが交互に形成された角波型の薄板状に形成され、一方の表面（外側面）に、例えば、図示のような木目調等、高意匠の樹脂製皮膜が覆設されている。また、該アタッチメント部材３は、他方の表面を前記横桟部材２の外側面に沿うように、前記係合部３１を外方向にして該横桟部材２に取付けられる。このように横桟部材２に取付けたアタッチメント部材３の係合部３１には、図１で示したように、前記横桟部材２と交差するように前記縦桟部材４が該係合部３１の間隔幅に従って夫々嵌め込まれ複数並設される。なお、本実施例において、該アタッチメント部材３は鋼板製で、その一方の表面に高意匠の樹脂製皮膜が覆設されて形成されているが、該素材はこれらに限定されるものではなく、また、前記一方の表面の意匠も木目調に限定されるものではない。
【００１９】
また、該アタッチメント部材３は、製造効率又は前記縦桟部材４の取付容易性の観点から、図示のような凹部及び凸部が交互に形成された角波型の薄板状に形成されているが、該アタッチメント部材３の一方の表面（外側面）に少なくとも該縦桟部材４に係り合って取付可能な係合部３１が形成された薄板状であればよい。例えば、平状鋼板に所定の間隔でピン等を突設し、該ピン間に縦桟部材４を嵌め込んで固定したり、該アタッチメント部材３の一方の表面に所定の間隔で係止部を設けるとともに、該係止部と対になる係止部を前記縦桟部材４にも設けて、各係止部を互いに係止することで固定したりする等、必ずしも本実施例のように凹部状に形成しなければならないというものではない。また、横桟部材２側（壁面Ｘ側）の表面については、例えば、平面形状等、前記横桟部材２に沿って取付可能に形成されていればどのような形状であってもよい。
【００２０】
このように、前記横桟部材２の外側面にアタッチメント部材３を介して前記縦桟部材４を取付けたことにより、アタッチメント部材３及び縦桟部材４のみを取り外し、該係合部３１の凹部状の横幅（溝幅）或いは間隔幅又は表面意匠の異なるアタッチメント部材３、及び、該異なる係合部３１に適合する横幅又は表面意匠の異なる縦桟部材４に取り替えれば、該横桟部材２を取り外すことなく容易に格子状外装材１全体の意匠を変更することができる。また、横桟部材２の外側面の外観にかかわらず、縦桟部材４の同一の表面意匠のアタッチメント部材３を取付けたり、縦桟部材４とは異なる表面意匠のアタッチメント部材３と組み合わせたりすることで、該格子状外装材１全体をデザインすることができる。
【００２１】
また、該アタッチメント部材３は、薄板状に形成されているため、該格子状外装材１全体の美観を損ねることもない。さらに、該アタッチメント部材３は、図示ように前記横桟部材２の外側面の縦幅方向と同程度の幅か、或いは、該横桟部材２の外側面の縦幅方向の幅以上の幅で、該横桟部材２の外側面を被覆するように形成されるため、横桟部材２を外観上隠蔽することができる。これにより、横桟部材２の外側面の外観に気を配ることなく、該格子状外装材１の美観の向上を図ることができる。
【００２２】
図３は、前記横桟部材２の構造を示す断面図である。該横桟部材２は、建築物の壁面Ｘ等に取付ける横桟ベース材２１と、該横桟ベース材２１の外側に取付ける横桟トップ材２２とから構成されている。
【００２３】
該横桟ベース材２１は、断面視略コ字型の棒状に形成されており、図示の通り、該略コ字型の縦方向中央の開口奥側に第一係止部として凹状の雌状部２１ａが形成されている。また一方、前記横桟トップ材２２は、断面視略ト字型の棒状で形成されており、図示の通り、該略ト字型の縦方向中央の横部先端から下方に第二係止部として凸設した雄状部２２ａが形成されている。
【００２４】
該横桟部材２は、図示の矢印Ａに示すように、前記横桟ベース材２１の雌状部２１ａ方向に前記横桟トップ材２２の雄状部２２ａを嵌め込んで係止固定することにより、断面視略ロ字型の棒状に形成される。なお、該第一係止部及び第二係止部は、該係止を容易且つ堅固に行うには本実施例の雌状部２１ａ及び雄状部２２ａのように形成するのが好ましいが、該雌状部２１ａ及び雄状部２２ａに限られず、互いに係止できればどのような構成であってもよい。
【００２５】
また、断面視略コ字型に形成された横桟ベース材２１の開口上下両端部には、夫々開口内側方向に突出する幕板２１ｂが形成され、前記断面視略ト字型で形成された横桟トップ材２２の縦部外側面と当接することにより、前記雄状部２２ａの差し込み過剰を防止するとともに、前記の通り、該横桟部材２が適切に断面視略ロ字型の棒状に形成されるようにガイドすることができる。そして、該横桟ベース材２１から横桟トップ材を取り外す際には、該幕板２１ｂと横桟トップ材２２の縦部との当接面において、該横桟トップ材２２を上方にスライドさせることにより、前記雄状部２２ａを上方に誘導し、該雄状部２２ａ及び前記雌状部２１ａの係止を解除することができる。
【００２６】
このように、該横桟ベース材２１に横桟トップ材２２を係止して固定するように構成したことにより、前記横桟ベース材２１を壁面Ｘ等に直接取付けた上で、該横桟トップ材２２を横桟ベース材２１に着脱すれば、容易にアタッチメント部材３及び縦桟部材４を取付け、又は、取り外して取り替えることができる。なお、当該横桟ベース材２１及び横桟トップ材２２の係止方法は、本実施例によるものに限られず、横桟ベース材２１及び横桟トップ材２２を係止でき、かつ、該係止後に横桟部材２として前記アタッチメント部材３及び前記縦桟部材４を取付けることができれば、どのような構成であってもよい。
【００２７】
前記縦桟部材４は、棒状の表面に、例えば、木目調等、高意匠の樹脂製皮膜が覆設され、前記アタッチメント部材３の係合部３１に沿って複数並設される。該縦桟部材４の表面に施された意匠及び前記アタッチメント部材３の外側面に施された意匠により、本発明に係る格子状外装材１の外観がデザインされる。該両者の意匠は、木目調やメタリック調等、種々の意匠で統一しても、或いは、組み合わせてもよく、施工主の嗜好に応じて自由に、且つ、容易に変更することができる。
【００２８】
次に、図４を用いて、本発明に係る格子状外装材１の取付工程について説明する。なお、該図４に基づく説明においては、便宜上、一の横桟部材２のみ図示する。
【００２９】
まず、前記横桟ベース材２１の壁面Ｘ側の表面を壁面Ｘの装飾や保護等する任意の箇所に当接し、ビスα（ビスαは、詳細には図示せず。）で留めておく。
【００３０】
次に、前記アタッチメント部材３の壁面Ｘ側の表面に前記横桟トップ材２２をビスαで留めて取付ける。或いは、該アタッチメント部材３の壁面Ｘ側の表面及び横桟トップ材２２を両面テープ等の仮止め材を用いて該アタッチメント部材３の取付位置を仮決めする。
【００３１】
次に、前記アタッチメント部材３の角波型薄板状に形成された外側面の係合部３１に沿って、複数の縦桟部材４をビスαで留めて並設する。或いは、前記アタッチメント部材３を仮止め材により仮止めした際には、該横桟トップ材２２から前記アタッチメント部材３を介して、前記縦桟部材４までビスαを打ち込むことにより、該横桟トップ材２２、アタッチメント部材３及び縦桟部材４をビスαで留めて、該横桟部材４を並設してもよい。該アタッチメント部材３の係合部３１は、前記の通り一定の間隔幅で形成されており、該間隔幅に沿った格子状が形成される。また、該アタッチメント部材３の外側面と複数の縦桟部材４には、夫々高意匠の樹脂製皮膜が覆設されており、外観上美観に優れた格子状外装材１として形成することができる。
【００３２】
最後に、前記アタッチメント部材３及び縦桟部材４を取付けた横桟トップ材２２の雄状部２２ａを前記断面視コ字型に形成した横桟ベース材２１の開口方向から挿し込みながら、該雄状部２２ａを前記横桟ベース材２１の雌状部２１ａの上方から係止してセットし、前記縦桟部材４及びアタッチメント部材３が固定された横桟部材２を形成する。この際、該横桟トップ材２２及び横桟ベース材２１をビスαで留め、横ズレや脱落を防止してもよい。このようにして該格子状外装材１を建築物の壁面Ｘに取付けることにより、建築物の壁面Ｘ等を容易に装飾又は保護することができる。
【００３３】
一方、格子状外装材１を意匠の変更等により取り外す際には、前記横桟トップ材２２の雄状部２２ａの前記横桟ベース材２１の雌状部２１ａへの係止を解除することにより、前記アタッチメント部材３及び縦桟部材４を容易に取り外すことができる。また、一旦取り外しても、前記横桟トップ材２２の雄状部２２ａを前記横桟ベース材２１の雌状部２１ａに係止すれば、意匠変更等の後、該格子状外装材１を容易に壁面Ｘ等に取付けることができる。また、前記縦桟部材４が固定されたアタッチメント部材３のみを前記横桟部材２から取り外すことによっても、該アタッチメント部材３及び前記縦桟部材４の意匠を容易に変更することができる。
【００３４】
なお、前記説明による取付工程は一例に過ぎず、例えば、先に前記横桟トップ材２２、アタッチメント部材３及び縦桟部材４を取付けてから、前記横桟ベース材２１を壁面Ｘに取付け、その後、前記横桟トップ材２２の雄状部２２ａを前記横桟ベース材２１の雌状部２１ａに係止して取付けることも可能であり、その他、前記工程の手順を入れ替えて種々変更することも可能である。
【００３５】
図５は、前記横桟部材２及び壁面Ｘの間に介する取付金具５の壁面側取付金具５ａ及び側面側取付金具５ｂを示す斜視図であり、図６は、該壁面側取付金具５ａを取付けた状態を示す斜視図であり、図７は、該側面側取付金具５ｂを示す斜視図である。該取付金具５は、壁面側取付金具５ａ又は側面側取付金具５ｂからなり、該壁面側取付金具５ａは、横桟部材２に接する面及び壁面Ｘに接する面を有する屈曲した板状に形成され、また、側面側取付金具５ｂは、Ｌ字に屈曲した板状であって、夫々壁面Ｘ等への取付面にビス孔βが設けられている。また、図中、該壁面側取付金具５ａ及び側面側取付金具５ｂの横桟部材２への夫々の取付面には、ビスαが留められているが、該夫々の取付面にもビス孔βが設けられている。
【００３６】
図６に示すように、該壁面側取付金具５ａは、壁面Ｘ等に前記格子状外装材１を取付ける際、前記横桟ベース材２１及び壁面Ｘ等の間に介し、前記壁面Ｘ等への取付面に設けたビス孔βからビスαで留めて取付けられる。該取付金具５によれば、該格子状外装材１及び壁面Ｘ等の間に空間を設けて該格子状外装材１を壁面Ｘから浮かせた外装に変更できる他、壁面Ｘに段差等がある場合には格子状外装材１及び壁面Ｘ等との間のスペーサーとしても用いることができ、横桟ベース材２１に取付ければ容易に建築物外装の幅を広げることができる。
【００３７】
また、図７に示すように、前記側面側取付金具５ｂは、建築物の出隅の段差や柵等の端部の側面、或いは、壁と壁との間、柵と柵との間、又は、柱と柱の間等の建築物の開口空間部に前記格子状外装材１を取付ける際、前記横桟ベース材２１及び両端の壁面Ｘ等の間に介し、前記壁面Ｘ等への取付面に設けたビス孔βからビスαで留めて取付けられる。該側面側取付金具５ｂによれば、このような建築物や建築部材の側面又は開口空間部等に容易に該格子状外装材１を取付けることができ、該開口空間部等を装飾したり、又は、目隠ししたりすることができる。
【００３８】
なお、該図５乃至図７に図示した取付金具５は、該壁面側取付金具５ａ及び側面側取付金具５ｂの横桟部材２及び壁面Ｘへの取付状態に関し、図示便宜上の例示にすぎず、必ずしも図示のような配置で横桟部材２に取付けなければならないというものではない。特に、図５は、該取付金具５の横桟部材２への取付状態を示すべく、便宜上、該壁面側取付金具５ａ及び側面側取付金具５ｂを並設して図示しているが、図７で示す側面側取付金具５ｂの取付状態のように、壁面側取付金具５ａを取付けない状態で壁面Ｘ等に取付ける場合もあり、その他、壁面側取付金具５ａ及び側面側取付金具５ｂの組合せ、取付け間隔幅等、建築物の外壁構造或いは横桟部材２又は縦桟部材４の重量等に応じて、適宜変更すればよい。また、該図５乃至図７において、説明の便宜上、前記アタッチメント部材３及び縦桟部材４の図示は省略しているが、前記横桟部材２の外側面、すなわち、横桟トップ材２２にアタッチメント部材３及び縦桟部材４を取付けて格子状外装材１を形成する。
【産業上の利用可能性】
【００３９】
上記実施例の格子状外装材１では、壁面Ｘに該格子状外装材１を設置したが、窓、又は、ベランダ等の既設の柵の外側に設置して装飾格子とすることもできる。また、該格子状外装材１の意匠変更だけでなく、前記縦桟部材４等の破損による部材の取り替え時においても、本発明に係る格子状外装材１は有用である。
【符号の説明】
【００４０】
１      格子状外装材
２      横桟部材
２１    横桟ベース材
２１ａ  雌状部
２１ｂ  幕板
２２    横桟トップ材
２２ａ  雄状部
３      アタッチメント部材
３１    係合部
４      縦桟部材
５      取付金具
５ａ    壁面側取付金具
５ｂ    側面側取付金具
Ａ      矢印
Ｘ      壁面
α      ビス
β      ビス孔
【図１】
0006558946.tif 000002
【図２】
0006558946.tif 000003
【図３】
0006558946.tif 000004
【図４】
0006558946.tif 000005
【図５】
0006558946.tif 000006
【図６】
0006558946.tif 000007
【図７】
0006558946.tif 000008